(57)【要約】【課題】プラグ用コネクタの挿入のしやすさを確保した上で、プラグの捻りに対する剛性を高めることができる。【解決手段】プラグ用コネクタ１０に、外部プラグと電気的に接続するための金属端子部１１を設け、この金属端子部１１を樹脂外周部１２で覆う。正面側キャビネット３に手前側に向かって内側寸法が小さくなるようにコネクタ用挿通孔３ａを設ける。このコネクタ用挿通孔３ａにプラグ用コネクタ１０を奥側から手前側に向かって挿入して固定する。そして、樹脂外周部１２の奥側にコネクタ用挿通孔３ａの内面奥側に当接する突起部１４を形成する。【選択図】図１
2015073226.tif 000002
【特許請求の範囲】
【請求項１】
外部プラグを挿入するためのプラグ用コネクタを有する電子機器において、
上記プラグ用コネクタが内蔵される筐体と、
上記筐体に手前側に向かって内側寸法が小さくなるように形成され、上記プラグ用コネクタが奥側から手前側に向かって挿入されて固定されるコネクタ用挿通孔とを備え、
上記プラグ用コネクタは、
上記外部プラグと電気的に接続するための金属端子部と、
上記金属端子部を覆う金属ハウジングと、
上記金属ハウジングを覆う樹脂外周部とを有し、
上記樹脂外周部の奥側には、上記コネクタ用挿通孔の内面奥側に当接する突起部が形成されている
ことを特徴とする電子機器。
【請求項２】
請求項１に記載の電子機器において、
上記樹脂外周部には、上記コネクタ用挿通孔の内面奥側の上記突起部と反対側に当接する他の突起部がさらに形成されている
ことを特徴とする電子機器。
【請求項３】
請求項１又は２に記載の電子機器において、
上記樹脂外周部には、上記コネクタ用挿通孔の内面手前側に当接して防水する防水部が形成されている
ことを特徴とする電子機器。
【発明の詳細な説明】
【技術分野】
【０００１】
本発明は、外部プラグを挿入するためのプラグ用コネクタを有する電子機器に関するものである。
【背景技術】
【０００２】
従来より、筐体内部の回路基板と外部プラグとをつなぐプラグ用コネクタを設けることが行われている。例えば、特許文献１の電子装置では、コネクタのハウジングの後部をケースの開口に固定している。
【先行技術文献】
【特許文献】
【０００３】
【特許文献１】特開２００７−３２９４１３号公報
【発明の概要】
【発明が解決しようとする課題】
【０００４】
しかしながら、上記特許文献１のものでは、ハウジングの前部を押さえていないので、がたつきが発生しやすい。また、近年、図８に示すように、防水性のあるプラグ用コネクタ１１０を筐体１０３に嵌め込むことが行われている。このようなプラグ用コネクタ１１０は、外部プラグと電気的に接続するための金属端子部１１１と、この金属端子部１１１を覆う金属ハウジング１１３と、この金属ハウジング１１３を覆う樹脂外周部１１２とを有する。部品小型化を図るために、樹脂外周部１１２が薄くなる傾向がある。また、防水性を高めるために、その手前側の防水部１１２ａは、筐体の内面に密着させる必要がある。
【０００５】
一方、このようなプラグ用コネクタ１１０を奥側から筐体１０３の挿通孔１０３ａに嵌め込む場合、挿入しやすさを確保するために、挿通孔１０３ａの奥側を手前側よりも広くする目的で、傾斜面１０３ｂや段差部１０３ｃが設けられている。
【０００６】
そうすると、外部プラグを捻ったときにプラグ用コネクタ１１０の特に奥側がぐらつき、曲げや捻りの力が加わってプラグ用コネクタ１１０及びその周辺が損傷するおそれがある。
【０００７】
本発明は、かかる点に鑑みてなされたものであり、その目的とするところは、プラグ用コネクタの挿入のしやすさを確保した上で、プラグの捻りに対する剛性を高めることにある。
【課題を解決するための手段】
【０００８】
上記の目的を達成するために、この発明では、金属端子部を覆う樹脂外周部の奥側にコネクタ用挿通孔との隙間を埋める突起を設けた。
【０００９】
具体的には、本発明では、外部プラグを挿入するためのプラグ用コネクタを有する電子機器を前提とし、
上記電子機器は、
上記プラグ用コネクタが内蔵される筐体と、
上記筐体に手前側に向かって内側寸法が小さくなるように形成され、上記プラグ用コネクタが奥側から手前側に向かって挿入されて固定されるコネクタ用挿通孔とを備え、
上記プラグ用コネクタは、
上記外部プラグと電気的に接続するための金属端子部と、
上記金属端子部を覆う金属ハウジングと、
上記金属ハウジングを覆う樹脂外周部とを有し、
上記樹脂外周部の奥側には、上記コネクタ用挿通孔の内面奥側に当接する突起部が形成されている。
【００１０】
上記の構成によると、プラグ用コネクタを挿入しやすくするためにコネクタ用挿通孔の奥側の内側寸法が大きめに保たれているが、樹脂外周部の奥側に設けた突起部が樹脂外周部外周とコネクタ用挿通孔内面との間の隙間を埋めるので、外部プラグによってプラグ用コネクタに加わった力がコネクタ用挿通孔内面で支持され、プラグ用コネクタ及びその周辺の損傷が防止される。なお、筐体の手前側とは、コネクタ用挿通孔を外側から見て手前側という意味である。
【発明の効果】
【００１１】
以上説明したように、本発明によれば、手前側に向かって内側寸法が小さくなるように形成したコネクタ用挿通孔の内面奥側に当接するようにプラグ用コネクタの樹脂外周部に突起部を形成したので、プラグ用コネクタの挿入のしやすさを確保した上で、プラグの捻りに対する剛性を高めることができる。
【図面の簡単な説明】
【００１２】
【図１】図２（ｂ）のＩ−Ｉ線拡大断面図である。
【図２】本発明の実施形態に係るカバー部材を有する携帯電話機を示し、（ａ）が斜視図で、（ｂ）が正面図である。
【図３】携帯電話機の分解斜視図である。
【図４】図２（ｂ）のIV−IV線拡大断面図である。
【図５】プラグ用コネクタを示し、（ａ）が背面側から見た斜視図で、（ｂ）が正面側から見た斜視図である。
【図６】本発明の実施形態の変形例に係るプラグ用コネクタを示す斜視図である。
【図７】変形例に係る図２（ｂ）のVII−VII線に対応する拡大断面図である。
【図８】従来のプラグ用コネクタの取付構造を示す断面図である。
【発明を実施するための形態】
【００１３】
以下、本発明の実施形態を図面に基づいて説明する。
【００１４】
図１〜図３は、本発明の実施形態の電子機器としての携帯電話機１を示し、この携帯電話機１は、例えば、タッチパネルを含む表示部２と、この表示部２を収容する正面側キャビネット３と、この正面側キャビネット３を背面側から覆う背面側キャビネット４とを備え、背面側キャビネット４の背面がリアカバー５で覆われている。これら正面側キャビネット３と背面側キャビネット４とリアカバー５とで携帯電話機１の筐体が構成されている。正面側キャビネット３の背面側には、基板組品６が設けられている。そして、本発明では、正面側キャビネット３の下端中央には、外部プラグ（図示せず）を挿入するためのプラグ用コネクタ１０がフレキシブル基板７等により基板組品６に接続されている。その正面側に、例えば導光板８やカバー部材９が取り付けられている。
【００１５】
そして、図１に示すように、プラグ用コネクタ１０を露出させるために、正面側キャビネット３の下端中央には、長円形状のコネクタ用挿通孔３ａが形成されている。背面側キャビネット４の下端中央には、背面側切欠４ａが形成され、リアカバー５にはカバー側開口５ａが形成されている。
【００１６】
コネクタ用挿通孔３ａの手前側の内側寸法Ｗ１は、奥側の内側寸法Ｗ２よりも小さくなっている（Ｗ１＜Ｗ２）。これは、プラグ用コネクタ１０をコネクタ用挿通孔３ａの奥側から手前側（図１の上側から下側）へ挿入しやすくするためである。なお、コネクタ用挿通孔３ａの最も手前は、内径が小さくなってプラグ用コネクタ１０の位置決め及び抜け止めがされている。
【００１７】
図５に示すように、プラグ用コネクタ１０は、外部プラグと電気的に接続するための金属端子部１１と、この金属端子部１１を覆う角筒状の金属ハウジング１１ｂと、この金属ハウジング１１ｂを覆う樹脂外周部１２とを有する。例えば、プラグ用コネクタ１０は、インサート成形で形成される。また、金属ハウジング１１ｂや金属端子部１１の奥側とフレキシブル基板７とが半田付１１ａにより電気的に接続されている。
【００１８】
樹脂外周部１２の先端側（下端側）は、最も外径が小さくなった防水部１２ａが形成されている。防水部１２ａの外周には、Ｏリング１３が嵌め込まれており、プラグ用コネクタ１０をコネクタ用挿通孔３ａに押し込んだときにコネクタ用挿通孔３ａの内面に密着することで防水効果が発揮されるようになっている。
【００１９】
防水部１２ａの奥側は、ボルト２０を締結する締結部１２ｂが左右両側に延びている。締結部１２ｂには、ナット２１が回転不能に嵌め込まれており、コネクタ用挿通孔３ａの周縁に設けた貫通孔３ｂにボルト２０を挿通してナット２１に締結するすることで、締結部１２ｂが正面側キャビネット３に固定されている。
【００２０】
図１に示すように、この締結部１２ｂの左右内側の樹脂外周部１２とコネクタ用挿通孔３ａ内面との間には隙間Ｃが確保され、プラグ用コネクタ１０をコネクタ用挿通孔３ａに挿入しやすくなっている。
【００２１】
そして、この隙間Ｃを埋めるように、樹脂外周部１２のコネクタ用挿通孔３ａから見て奥側には、コネクタ用挿通孔３ａの内面奥側に当接する突起部１４が形成されている。図４及び図５にも示すように、突起部１４は、断面三角形状に左右に延びる突条１４ａと突条１４ａの左右端部から奥側に延びる脚部１４ｂとを有する。なお、この脚部１４ｂの反対側には、位置決めピン１２ｃが延び、フレキシブル基板７の位置決めの役割を果たしている。
【００２２】
この突起部１４の背面側には、正面側キャビネット３と背面側キャビネット４との間を密閉して防水する防水パッキン１５が設けられている。このように防水パッキン１５が設けられる剛性の高い部分の正面側において突起部１４をコネクタ用挿通孔３ａ内面に当接させると剛性向上効果が高い。
【００２３】
このように、本実施形態では、プラグ用コネクタ１０を挿入しやすくするためにコネクタ用挿通孔３ａの奥側の内側寸法を大きめに保っているが、樹脂外周部１２の奥側に設けた突起部１４が樹脂外周部１２外周とコネクタ用挿通孔３ａの内面との間の隙間Ｃを埋めるので、外部プラグの捻りなどによってプラグ用コネクタ１０に加わった力がコネクタ用挿通孔３ａの内面で支持され、プラグ用コネクタ１０及びその周辺の損傷が防止される。
【００２４】
特に奥側の半田付１１ａが、これを跨ぐように形成された突起部１４により保護されるので、半田付１１ａが外れてしまって接触不良になることが確実に防止される。
【００２５】
また、プラグ用コネクタ１０の手前側は防水部１２ａにおいてコネクタ用挿通孔３ａ内面に密着して支持され、奥側も突起部１４でコネクタ用挿通孔３ａに支持されるので、プラグを捻ってもプラグ用コネクタ１０がぐらつかない。
【００２６】
したがって、本実施形態によれば、プラグ用コネクタ１０の挿入のしやすさを確保した上で、外部プラグの捻りに対する剛性を高めることができる。
【００２７】
−変形例−
図６及び図７は本発明の実施形態の変形例を示し、第２突起部１６が設けられている点で上記実施形態と異なる。なお、本変形例では、図１〜図５と同じ部分については同じ符号を付してその詳細な説明は省略する。
【００２８】
すなわち、本変形例では、樹脂外周部１２における突起部１４と反対側（背面側）にもコネクタ用挿通孔３ａの内面奥側に当接する他の突起部（第２突起部１６）がさらに形成されている。例えば、この第２突起部１６は、ボルト２０の締結部よりも若干奥側（上側）のコネクタ用挿通孔３ａに当接する。この当接位置は、防水パッキン１５の正面側であり、携帯電話機１の防水性及び剛性を高める上でも有利である。
【００２９】
これにより、プラグ用コネクタ１０の挿入しやすさを悪化させることなく、外部プラグの左右への捻り、厚さ方向の捻り等に対し、正面側及び背面側に設けた両側の突起部１４及び第２突起部１６によって確実にプラグ用コネクタ１０のぐらつきを防いで剛性を高めることができる。
【００３０】
（その他の実施形態）
本発明は、上記実施形態について、以下のような構成としてもよい。
【００３１】
すなわち、上記実施形態では、プラグ用コネクタ１０を携帯電話機１の下端中央に設けているが、その位置は特に限定されない。
【００３２】
また、本実施形態では、コネクタ用挿通孔３ａは、正面側キャビネット３でのみ構成しているが、正面側キャビネット３と背面側キャビネット４との両方で構成してもよく、リアカバー５が一部を構成してもよく、背面側キャビネット４のみで構成してもよい。
【００３３】
上記実施形態では、電子機器は、携帯電話機１としたが、ＰＨＳ（Personal Handy-phone System）、ＰＤＡ(Personal Digital Assistant)、スマートフォン、パソコン、モバイルツール、電子辞書、電卓、ゲーム機等であってもよく、液晶ディスプレイ、液晶テレビ、ブルーレイ（ＤＶＤ）レコーダ等であってもよい。
【００３４】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３５】
１      携帯電話機（電子機器）
２      表示部
３      正面側キャビネット（筐体）
３ａ    コネクタ用挿通孔
３ｂ    貫通孔
４      背面側キャビネット（筐体）
４ａ    背面側切欠
５      リアカバー（筐体）
５ａ    カバー側開口
６      基板組品
７      フレキシブル基板
９      カバー部材
１０      プラグ用コネクタ
１１      金属端子部
１１ａ    半田付
１１ｂ    金属ハウジング
１２      樹脂外周部
１２ａ    防水部
１２ｂ    締結部
１２ｃ    位置決めピン
１３      Ｏリング
１４      突起部
１４ａ    突条
１４ｂ    脚部
１５      防水パッキン
１６      第２突起部（他の突起部）
２０      ボルト
２１      ナット
【図１】
2015073226.tif 000003
【図２】
2015073226.tif 000004
【図３】
2015073226.tif 000005
【図４】
2015073226.tif 000006
【図５】
2015073226.tif 000007
【図６】
2015073226.tif 000008
【図７】
2015073226.tif 000009
【図８】
2015073226.tif 000010